(57)【要約】【課題】砂礫層を含むような軟弱な地盤であっても、ケーシングの挿入及び引抜作業を容易に行うことができる既存杭の引抜方法を提供する。【解決手段】既存杭１０の外周の地盤１を間隔を開けて柱体状に地盤改良することにより、改良地盤からなる地盤改良部２０を形成し、地盤改良部２０を通過するとともに、既存杭１０が内部に収容されるように筒状のケーシング３０を地盤に挿入し、地盤１に挿入したケーシング３０を引き抜き、既存杭１０を引き抜く。【選択図】図３
2010065501.tif 000002
【特許請求の範囲】
【請求項１】
地盤に埋設された既存杭の引抜方法であって、
前記既存杭の周囲の地盤の少なくとも一部に地盤改良部を形成する地盤改良ステップと、
筒状のケーシングを、前記地盤改良部を通過し、かつ、内部に前記既存杭が収容されるように地盤に挿入するケーシング挿入ステップと、
前記地盤に挿入したケーシングを引き抜くケーシング引抜ステップと、
前記既存杭を引き抜く杭引抜ステップと、を備えることを特徴とする既存杭の引抜方法。
【請求項２】
請求項１記載の既存杭の引抜方法であって、
前記地盤改良ステップでは、
柱体状の地盤改良部を前記既存杭の周囲を取り囲むように、互いに間隔をあけて形成することを特徴とする既存杭の引抜方法。
【請求項３】
請求項１記載の既存杭の引抜方法であって、
前記地盤改良ステップでは、
上下方向に延びる環状の地盤改良部を前記既存杭の周囲を取り囲むように形成することを特徴とする既存杭の引抜方法。
【請求項４】
請求項１から３のうち何れか１項に記載の既存杭の引抜方法であって、
前記地盤は砂礫層を含み、
前記地盤改良ステップでは、
少なくとも前記地盤の前記砂礫層に相当する部分に前記地盤改良部を形成することを特徴とする既存杭の引抜方法。
【請求項５】
請求項１から４のうち何れか１項に記載の既存杭の引抜方法であって、
前記地盤改良ステップでは、
前記地盤の少なくとも一部を掘削し、
前記掘削した掘削土にセメントミルクを混合攪拌する、又は、前記掘削した地盤と流動化処理土と置き換えることにより、前記地盤改良部を形成することを特徴とする既存杭の引抜方法。
【発明の詳細な説明】
【技術分野】
【０００１】
本発明は、砂礫層のような緩い地層を含む地盤における既存杭の引抜方法に関する。
【背景技術】
【０００２】
新築の建物の基礎を構築する際に、新たに構築する基礎杭と既存杭とが干渉する虞がある場合には、既存杭を撤去しなければならない。従来より、既存杭を撤去する方法として、既存杭の外周に円筒状のケーシングを地盤に挿入し、周囲の地盤と既存杭の周囲の地盤とを縁切りし、ケーシングとともに既存杭を引抜く方法が用いられている。
【０００３】
このようなケーシングを用いた杭の撤去方法として、例えば、特許文献１には、内側管及び外側管からなる二重構造のケーシングを用い、内側管とともに既存杭を引抜く方法が記載されている。この方法によれば、外側管及び内側管によりケーシングの内外の地盤が縁切りされるため、容易に既存杭を引抜くことができる。
【特許文献１】特開２００３―６４６８０号公報
【発明の開示】
【発明が解決しようとする課題】
【０００４】
ここで、Ｎ値が２０〜３０程度の砂礫層では、上記のように既存杭の周囲にケーシングを挿入すると、ケーシングの周囲の砂礫に締まりが生じてケーシングと地盤との摩擦が大きくなり、ケーシングの挿入及び引抜が非常に困難になるという問題がある。また、特許文献１記載の方法を用いた場合であっても、同様に砂礫に締まりが生じるため、内側管の引抜は容易に行えるものの、ケーシングの挿入及び外側管の引抜が非常に困難になってしまう。
【０００５】
本発明は、上記の問題に鑑みなされたものであり、その目的は、砂礫層を含むような軟弱な地盤であっても、ケーシングの挿入及び引抜作業を容易に行うことができる既存杭の引抜方法を提供することである。
【課題を解決するための手段】
【０００６】
本発明の既存杭の引抜方法は、地盤に埋設された既存杭の引抜方法であって、前記既存杭の周囲の地盤の少なくとも一部に地盤改良部を形成する地盤改良ステップと、筒状のケーシングを、前記地盤改良部を通過し、かつ、内部に前記既存杭が収容されるように地盤に挿入するケーシング挿入ステップと、前記地盤に挿入したケーシングを引き抜くケーシング引抜ステップと、前記既存杭を引き抜く杭引抜ステップと、を備えることを特徴とする。
【０００７】
上記の方法において、前記地盤改良ステップでは、柱体状の地盤改良部を前記既存杭の周囲を取り囲むように、互いに間隔をあけて形成してもよいし、上下方向に延びる環状の地盤改良部を前記既存杭の周囲を取り囲むように形成してもよい。
また、前記地盤は砂礫層を含み、前記地盤改良ステップでは、少なくとも前記地盤の前記砂礫層に相当する部分に前記地盤改良部を形成してもよい。
【０００８】
また、前記地盤改良ステップでは、前記地盤の少なくとも一部を掘削し、前記掘削した掘削土にセメントミルクを混合攪拌する、又は、前記掘削した地盤と流動化処理土と置き換えることにより、前記地盤改良部を形成してもよい。
【発明の効果】
【０００９】
本発明によれば、既存杭の周囲の地盤の地盤改良した部分を通過するようにケーシングを挿入することとしたため、ケーシングの挿入又は引抜の際に、地盤改良した部分では砂礫地盤が締め固まることを防止できるため、ケーシングの挿入又は引抜作業を容易に行うことができる。
【発明を実施するための最良の形態】
【００１０】
以下、本発明の既存杭の引抜方法の一実施形態を図面を参照しながら詳細に説明する。
図１は、本実施形態の既存杭の引抜方法による引抜の対象となる地盤１に埋設された既存杭１０を示し、（Ａ）は鉛直断面図、（Ｂ）は（Ａ）におけるＢ−Ｂ断面図である。同図に示すように、本実施形態の既存杭１０は、中間部に節部１１を備えた節杭であり、場所打ちコンクリート杭である。既存杭１０が構築された地盤１は、Ｎ値が２０〜３０程度の砂礫層（砂層や礫層を含む）を含む地盤であり、このような地盤ではケーシング等を挿入すると、砂礫が時間ととともに締まるため、地盤とケーシングとの間の摩擦力が非常に大きくなる。
【００１１】
以下、このような地盤１における既存杭１０の引抜方法を説明する。図２〜図８は、既存杭の引抜方法を説明するための図であり、各図において（Ａ）は鉛直断面図、（Ｂ）はＡにおけるＢ−Ｂ断面図である。
まず、図２に示すように、地盤１の既存杭１０にオーガーにより複数の円柱状の孔２１を掘削する。そして、孔２１内にセメントミルクを注入し、掘削土とセメントミルクとを混合撹拌することにより地盤を改良し、円柱状の地盤改良部２０を形成する。この際、地盤に注入するセメントミルクの量は地盤改良部２０の強度が１〜３ｋｇ／ｃｍ２程度となるように調整する。なお、地盤改良部２０は、後述する地盤１にケーシングを挿入する工程において、ケーシングが通過するような位置に、その下端が既存杭１０の下端と略等しい高さとなるように形成する。
【００１２】
次に、図３に示すように、上記構築した地盤改良部２０を通過し、既存杭１０を取り囲むように、下端が既存杭１０の下端よりも深い位置まで到達するまで地盤１に挿入する。ケーシング３０は下方の縁に掘削ビットが取り付けられており、回転させながら下方に向かって荷重を加えることにより、地盤１に挿入することができる。なお、既存杭１０が長尺の場合にはケーシング３０は適宜継ぎ足しながら地盤１に挿入すればよい。
【００１３】
この際、地盤改良部２０を通過するようにケーシング３０を挿入することで、地盤改良部２０において砂礫層が締め固まることがないため、ケーシング３０と周囲の地盤１との摩擦が大きくなるのを抑えることができる。このため、砂礫層を含む地盤１であっても容易にケーシング３０を挿入することができる。なお、ケーシング３０としては、既存杭１０の節部１１よりも内径の大きなものを用い、既存杭１０全体が内部に収容されるように地盤に挿入する。
【００１４】
次に、図４に示すように、ケーシング３０を引き上げる。この際、ケーシング３０を挿入する場合と同様に、地盤改良部２０の部分において砂礫層が締め固まることがないため、周囲の地盤１との摩擦を抑えることができ、容易にケーシング３０を引抜くことができる。このようにして、ケーシング３０により取り囲まれた既存杭１０の近傍の地盤１Ａと、その周囲の地盤１とが縁切りされることとなる。
【００１５】
次に、図５に示すように、地上に杭抜専用多滑車車などの杭抜機１００を設置し、杭抜機１００により既存杭１０を引き抜く。この際、ケーシング３０により周囲の地盤１と縁切りされた既存杭の近傍の地盤１Ａの一部も既存杭１０とともに地上へ引き上げられることとなる。なお、既存杭１０を引き抜く際、既存杭１０の全長が長い場合には、適宜、図６に示すように、既存杭１０を切断用の重機１１０により切断するとよい。このようにして、図７に示すように、既存杭１０の全体を地上まで引き抜く。
【００１６】
次に、図８に示すように、既存杭を撤去することで生じた孔２内に適宜、土砂４０を埋め戻す。
以上の工程により、地盤１から既存杭１０を撤去することができる。
【００１７】
本実施形態によれば、ケーシング３０を挿入する前に、ケーシング３０が挿入される位置の地盤１を改良して地盤改良部２０を形成おくため、ケーシング３０に挿入又は引抜の際に、この部分において砂礫層が締まることを防止でき、地盤１とケーシング３０との摩擦を抑えることができる。このため、容易にケーシング３０の挿入及び引抜作業を行うことができる。
【００１８】
なお、本実施形態では、節部１１を備えた円形の節杭を引き抜く場合について説明したが、これに限らず、通常の（すなわち、節部を備えていない）丸杭や、矩形状の壁杭、拡底部を備えた杭などを引き抜く場合にも適用することができる。
【００１９】
また、本実施形態では、オーガーにより地盤を掘削し、掘削した孔内にセメントミルクを注入することにより地盤を改良し、地盤改良部２０を形成することとしたが、これに限らず、アースドリルにより地盤を掘削し、掘削した地盤内の掘削土を、セメント、セメントベントナイトなどを混合した流動化処理土により置き換えることとしてもよい。
【００２０】
また、本実施形態では、図２（Ｂ）に示すように、既存杭１０の外周に間隔をあけて６箇所、地盤改良を行い地盤改良部２０を形成したが、既存杭１０の周囲に間隔をあけずに連続的に環状に地盤改良部２０を形成してもよいし、地盤改良部２０を７箇所以上又は５箇所以下、形成するものとしてもよい。
【００２１】
また、本実施形態では、地表から既存杭１０の下端より深い位置まで、深さ方向全長に亘って、地盤改良を行うものとしたが、これに限らず、既存杭１０の周囲の地盤の砂礫層に当たる高さ範囲のみを地盤改良するものとしてもよい。
【図面の簡単な説明】
【００２２】
【図１】本実施形態の既存杭の引抜方法による引抜の対象となる地盤に埋設された既存杭を示し、（Ａ）は鉛直断面図、（Ｂ）は（Ａ）におけるＢ−Ｂ断面図である。
【図２】既存杭の引抜方法を説明するための図（その１）であり、（Ａ）は鉛直断面図、（Ｂ）はＡにおけるＢ−Ｂ断面図である。
【図３】既存杭の引抜方法を説明するための図（その２）であり、（Ａ）は鉛直断面図、（Ｂ）はＡにおけるＢ−Ｂ断面図である。
【図４】既存杭の引抜方法を説明するための図（その３）であり、（Ａ）は鉛直断面図、（Ｂ）はＡにおけるＢ−Ｂ断面図である。
【図５】既存杭の引抜方法を説明するための図（その４）であり、（Ａ）は鉛直断面図、（Ｂ）はＡにおけるＢ−Ｂ断面図である。
【図６】既存杭の引抜方法を説明するための図（その５）であり、（Ａ）は鉛直断面図、（Ｂ）はＡにおけるＢ−Ｂ断面図である。
【図７】既存杭の引抜方法を説明するための図（その６）であり、（Ａ）は鉛直断面図、（Ｂ）はＡにおけるＢ−Ｂ断面図である。
【図８】既存杭の引抜方法を説明するための図（その７）であり、（Ａ）は鉛直断面図、（Ｂ）はＡにおけるＢ−Ｂ断面図である。
【符号の説明】
【００２３】
１  地盤
１０  既存杭
１１  節部
２０  地盤改良部
２１  孔
３０  ケーシング
【図１】
2010065501.tif 000003
【図２】
2010065501.tif 000004
【図３】
2010065501.tif 000005
【図４】
2010065501.tif 000006
【図５】
2010065501.tif 000007
【図６】
2010065501.tif 000008
【図７】
2010065501.tif 000009
【図８】
2010065501.tif 000010